(57)【要約】【課題】タッチパネルディスプレイ上の対象画像に対する処理を任意の箇所でのタッチダウンと同じ位置でのタッチアップのみで処理を行える簡便なタッチパネル式操作電子機器を提供すること。【解決手段】タッチパネルディスプレイ上の対象画像の移動と拡大縮小を含む複数の処理を行うために、物体へのタッチダウン後の経過時間を、定められた間隔を持った複数の時間区分に分けそれぞれ異なる処理を行うよう設定してき、対象画像の拡大縮小処理はその処理の時間区分を選択し、タッチアップすることにより処理を開始させ、自動的に拡大処理を継続し、次のタッチダウンで処理を終了させる制御手段を備える。【選択図】図１
2009301523.tif 000002
【特許請求の範囲】
【請求項１】
タッチパネルディスプレイ上の対象画像の移動と拡大縮小を含む複数の処理を行うために、物体へのタッチダウン後の経過時間を、定められた間隔を持った複数の時間区分に分けそれぞれ異なる処理を行うよう設定しておく。対象画像の移動は移動処理の時間区分を選択し、その後タッチムーブで移動を行い、タッチアップで処理を終了させる。対象画像の拡大縮小を含む処理はそれら処理の時間区分を選択し、タッチアップすることにより処理を開始させ、自動的に拡大縮小処理等を継続し、次のタッチダウンで処理を終了させる制御手段を備えた電子機器。
【請求項２】
前記制御手段は、時間区分により異なる処理を行うものであり、時間区分毎の処理内容をタッチパネルディスプレイ上にアイコンとして表示し、操作人が処理内容を確認できるようにすることを特徴とする請求項１に記載の電子機器。
【発明の詳細な説明】
【技術分野】
【０００１】本発明は、タッチパネル操作によりディスプレイ上の対象画像に対して異なった処理を行う電子機器に関するものである。
【背景技術】
【０００２】背景技術として、タッチパネルに物体を接触させた時の周辺接触面積毎に処理内容をあらかじめ定義しておく装置（例えば、特許文献１を参照）、規定の領域上を一直線に左右又は上下の物体移動により異なった処理を行う装置（例えば、特許文献２を参照）が知られている。
【特許文献１】特開２００６−２６８０７３号公報
【特許文献２】特開２００６−２７７５８８号公報
【発明の開示】
【発明が解決しようとする課題】
【０００３】特許文献１に記載のものにおいてはあらかじめ接触座標に係るデータで定義される接触面積の位置に対して接触と移動操作を行うものであり、決められたディスプレイの画面構成の装置にしか使えず、ディスプレイ、スピーカ、エアコン等の周辺機器の制御のみを目的としているという問題があった。特許文献２に記載のものにおいてはあらかじめ定められた領域で一直線上の接触と移動操作しか認められておらず、こちらも決められたディスプレイの画面構成の装置にしか使えず、オーディオ機器の音量、選局等の機器の制御のみを目的としているという問題があった。【０００４】そこで本発明は、前述の課題を解決するためになされたもので特定の器機対象ではなく電子機器全般に使用可能とし、タッチパネルディスプレイの任意の位置にタッチダウンし、その後の時間経過にともなう時間区分毎に設定されている異なる処理を選択し、対象画像の拡大縮小処理ではタッチアップにより選択し処理を開始させ、次のタッチダウンで処理を終了させる制御手段を備える。対象画像の移動処理では処理の選択後タッチムーブで画像を移動させ、タッチダウンで処理を終了させる制御手段を備える。対象画像の拡大縮小に関しては、物体のタッチムーブなしの任意の位置でのタッチアップ、ダウン操作のみで、処理の開始から終了までを片手の指１本のみで完結させることを可能とする制御手段を実現させることを目的とする。
【課題を解決するための手段】
【０００５】本発明に係る電子機器は、タッチパネルディスプレイにタッチダウンし、その後時間区分毎の異なる処理を選択し、各種処理を行う制御手段を備えるものである。
本発明における字句の解釈は、次のとおりである。【０００６】「タッチパネルディスプレイ」とは、物体との接触に応じて接触座標に係るデータを出力する接触センサで一例として、抵抗膜方式のセンサ、光走査方式のセンサなどを電子機器ディスプレイの表面に重ねて設置した装置である。【０００７】「物体」としては、指、ペンなどがある。【０００８】「タッチダウン」とはタッチパネルディスプレイの表面を人の指等で触れることで、「タッチムーブ」とは表面上を人の指等で触れながら移動させることで、「タッチアップ」とは表面から人の指等を離す操作を指す。【０００９】「経過時間を、定められた間隔を持った複数の時間区分」とは、タッチダウン直後０ミリ秒から任意のＸミリ秒までの間隔を定める時間毎に区分けすることであり、例として区分１は０ミリ秒、区分２は０ミリ秒後より１０００ミリ秒まで、区分３は１０００ミリ秒後より３０００ミリ秒までのように定義するものである。【００１０】「電子機器」は、ディスクトップ及び持ち歩くことができる情報処理機器でＰＣ、ノートパソコン、ＰＤＡ、携帯電話、スマートフォーンなどがある。【００１１】「アイコン」とは、処理内容を図や絵にして分かりやすくしているもので、画像で表示されものである。【００１２】「移動」とは、タッチパネルディスプレイ上の画像の座標軸上のＸ及びＹ位置を変えることであり、「拡大縮小」とは、タッチパネルディスプレイ上の画像の縦及び横の長さを変えることである。
【発明の効果】
【００１３】本発明はタッチパネルディスプレイに物体をタッチダウンし、タッチアップで処理を選択し、その後のタッチダウンで処理を終了させることが可能で、物体のタッチムーブを行わない簡便な処理を行う制御手段を備える電子機器を提供することができるものである。【００１４】物体をタッチダウンした後の時間区分毎に各種処理内容をアイコンでわかりやすく提示する制御手段を備える電子機器を提供することができるものである。【００１５】請求項１の制御手段による処理を行う一連の処理と個々の属性のその都度変更を一つのプログラムに集約し、この提供と使用により、容易にタッチパネルディスプレイ処理プログラムの開発が可能となる機能を備える電子機器を提供することができるものである。
【発明を実施するための最良の形態】
【００１６】以下、本発明に係るデータ処理を実施するための最良の形態である電子機器について、図１から図２を参照しながら説明する。【００１７】本発明は図１に示すタッチパネルディスプレイでの操作により、電子機器装置上のディスプレイに表示されている画像１あるいは画像２の拡大縮小及び移動を含む処理を行うものである。【００１８】図１の画像の拡大処理を行う場合は、タッチパネルディスプレイの任意の箇所５に物体をタッチダウンする。その後図２の時間区分２に設定されている拡大処理をタッチアップにより選択することにより、画像の拡大処理が開始され、自動的に拡大を継続し、次のタッチダウンにより処理を終了させる。【００１９】図１の画像の縮小処理を行う場合は、タッチパネルディスプレイの任意の箇所５に物体をタッチダウンする。その後図２の時間区分３に設定されている縮小処理をタッチアップにより選択することにより、画像の縮小処理が開始され、自動的に縮小を継続し、次のタッチダウンにより処理を終了させる。【００２０】画像の拡大及び縮小処理は前述のように、タッチアップによる処理の選択のみで、あらかじめ定めてある時間間隔と拡大及び縮小率で自動的に処理を続け、次のタッチダウンまで処理を続行する。【００２１】図１の画像の移動処理を行う場合は、タッチパネルディスプレイの移動対象画像１上の箇所４に物体をタッチダウンする。その後図２の時間区分４に設定されている移動処理選択後に、タッチムーブにより任意の場所へ画像を移動させ、タッチアップにより処理を終了させる。【００２２】特定の画像の拡大あるいは縮小する時は、例として画像１に対する処理の場合は、画像１上の箇所４にタッチダウンを行い、画像を特定して処理を開始する。【００２３】前述の時間区分を操作する人に判りやすく提示するために、それぞれの時間区分ごとに６から８までの異なったアイコンを、タッチダウン箇所近辺および画面上の視認しやすい位置に表示する。【００２４】図２の例では時間区分１より４までに分けてそれぞれ異なった処理を設定しているが、時間区分を増すことによりその他の処理、例として対象画像の上下への自動移動、左右への自動移動も可能となる。【００２５】図２の例では時間区分２では６の拡大処理、時間区分３では７の縮小処理、時間区分４では８の移動処理のアイコンを表示する。【００２６】タッチパネルディスプレイ処理のためのディスプレイ上の画像を表示する領域の設定、画像の表示、請求項１の制御手段による処理を行う一連の処理を、電子機器の処理プログラムに組込めるように、単一のコントロールとして作成する。【００２７】この単一のコントロールは、画像を表示する領域のサイズ、背景色、画像の種類、図２の場合の時間推移の時間区分の間隔、時間区分毎の処理内容、拡大縮小する時の単位時間当たりの拡大縮小率、アイコンの種類を、コントロールのプログラムの変更を行わず、属性として設定できる機能を備える。【００２８】このコントロールにより、タッチパネルディスプレイ式操作プログラムの開発を行わずに電子機器へ実装することが可能となる。
【産業上の利用可能性】
【００２９】以上のように、本発明に係るタッチパネルディスプレイ式操作電子機器は、片手で電子機器を持ち、指一本だけでディスプレイ上の操作も可能で、タッチムーブを不用とし、同一箇所でのタッチダウン、アップのみでの処理を可能とし、ディスプレイ上の任意の箇所に接触し、その後の時間の区分だけで処理の選択が可能となり、自動拡大縮小機能と簡便さを備えることを可能とする。
【図面の簡単な説明】
【００３０】
【図１】本発明に係るタッチパネルディスプレイ式操作電子機器での操作方法を示す平面図
【図２】本発明に係る時間推移の時間区分と時間区分毎の処理内容を表すアイコンの関連を示した図
【符号の説明】
【００３１】１タッチパネルディスプレイ
２タッチパネルディスプレイ上の画像１
３タッチパネルディスプレイ上の画像２
４画像１上をタッチダウンした位置
５タッチパネルディスプレイ上の任意の位置でのタッチダウン
６拡大処理を表すアイコン
７縮小処理を表すアイコン
８移動処理を表すアイコン
【図１】
2009301523.tif 000003
【図２】
2009301523.tif 000004